【手続補正書】
【提出日】平成29年5月16日(2017.5.16)
【手続補正１】
【補正対象書類名】特許請求の範囲
【補正対象項目名】全文
【補正方法】変更
【補正の内容】
【特許請求の範囲】
【請求項１】
移動体の種別毎に推定消費エネルギー量を算出する為の算出用データを記憶する記憶手段と、
送信先の移動体の種別に対応する前記算出用データを当該移動体に送信する送信手段と、
当該移動体で前記算出用データを基に算出された推定消費エネルギー量と実際に消費した実消費エネルギー量に基づいて設定された補正値、及び当該移動体の種別関連情報を受信する受信手段と、
前記補正値及び前記種別関連情報に基づいて、前記算出用データを更新する更新手段と、
を備えることを特徴とするサーバ装置。
【請求項２】
前記更新手段は、前記種別が同じである移動体から受信した前記補正値を基に、統計的手法により代表補正値を算出し、前記算出用データに含まれる代表補正値を更新することを特徴とする請求項１に記載のサーバ装置。
【請求項３】
前記送信手段は、前記移動体側で推定消費エネルギーの算出に用いる推定消費エネルギー量算出式を含む前記算出用データを前記移動体に送信し、
前記推定消費エネルギー量算出式は、前記移動体の一般道路での走行時の燃料消費に対して影響が大きい前記推定消費エネルギー量算出式の第１因子を含む項と、前記移動体の高速道路での走行時の燃料消費に対して影響が大きい前記推定消費エネルギー量算出式の第２因子を含む項と、の和からなることを特徴とする請求項１または２に記載のサーバ装置。
【請求項４】
移動体の推定消費エネルギー量を推定する推定手段と、
前記移動体が実際に消費した実消費エネルギー量と、前記推定消費エネルギー量に基づく補正値を算出する算出手段と、
前記補正値と、前記移動体の種別をサーバ装置に送信する送信手段と、を備え、
前記推定手段は、複数の前記移動体から送信された補正値に基づいて前記サーバ装置が算出した前記移動体の種別に対応する補正値を含む算出用データを取得し、当該算出用データを用いて前記推定消費エネルギー量を推定することを特徴とする端末装置。
【請求項５】
前記推定手段は、前記推定消費エネルギー量を、前記移動体の一般道路での走行時の燃料消費に対して影響が大きい推定消費エネルギー量算出式の第１因子を含む項と、前記移動体の高速道路での走行時の燃料消費に対して影響が大きい推定消費エネルギー量算出式の第２因子を含む項と、の和からなる推定消費エネルギー量算出式を用いて算出することを特徴とする請求項４に記載の端末装置。
【請求項６】
前記推定消費エネルギー量と前記実消費エネルギー量との差分に基づく補正値を手動入力可能な表示入力手段をさらに備えたことを特徴とする請求項４または５に記載の端末装置。
【請求項７】
前記推定手段は、前記サーバ装置から推定消費エネルギー量算出式を含む前記推定消費エネルギー算出用データを受信することを特徴とする請求項４〜６のいずれか一つに記載の端末装置。
【請求項８】
前記推定手段は、推定消費エネルギー量算出式を保持し、前記サーバ装置から前記移動体の種別に該当する前記更新後の補正値を含む前記算出用データを受信することを特徴とする請求項４〜６のいずれか一つに記載の端末装置。
【請求項９】
移動体に搭載された端末装置と、当該端末装置と通信可能なサーバ装置とからなる推定消費エネルギー算出システムであって、
前記サーバ装置は、
前記移動体の種別毎に推定消費エネルギー量を算出する為の算出用データを記憶する記憶手段と、
送信先の移動体の種別に対応する前記算出用データを当該移動体に送信する送信手段と、
当該移動体で前記算出用データを基に算出された推定消費エネルギー量と実際に消費した実消費エネルギー量に基づいて設定された補正値、及び当該移動体の種別関連情報を受信する受信手段と、
前記補正値及び前記種別関連情報に基づいて、前記算出用データを更新する更新手段と、を備え、
前記端末装置は、
前記移動体の推定消費エネルギー量を推定する推定手段と、
前記移動体が実際に消費した実消費エネルギー量と、前記推定消費エネルギー量に基づく補正値を算出する算出手段と、
前記補正値と、前記移動体の種別をサーバ装置に送信する送信手段と、を備え、
前記推定手段は、複数の前記移動体から送信された補正値に基づいて前記サーバ装置が算出した前記移動体の種別に対応する補正値を含む算出用データを取得し、当該算出用データを用いて前記推定消費エネルギー量を算出することを特徴とする推定消費エネルギー算出システム。
【請求項１０】
移動体に搭載された端末装置と通信可能なサーバ装置が実行する推定消費エネルギー算出方法であって、
前記サーバ装置は、
前記移動体の種別毎に推定消費エネルギー量を算出する為の算出用データを記憶する記憶工程と、
送信先の移動体の種別に対応する前記算出用データを当該移動体に送信する送信工程と、
当該移動体で前記算出用データを基に算出された推定消費エネルギー量と実際に消費した実消費エネルギー量に基づいて設定された補正値、及び当該移動体の種別関連情報を受信する受信工程と、
前記補正値及び前記種別関連情報に基づいて、前記算出用データを更新する更新工程と、
を含むことを特徴とする推定消費エネルギー算出方法。
【請求項１１】
請求項１０に記載の推定消費エネルギー算出方法をコンピュータに実行させることを特徴とする推定消費エネルギー算出プログラム。
【請求項１２】
請求項１１に記載の推定消費エネルギー算出プログラムを記録したことを特徴とする記録媒体。
【手続補正２】
【補正対象書類名】明細書
【補正対象項目名】０００５
【補正方法】変更
【補正の内容】
【０００５】
上述した課題を解決し、目的を達成するため、請求項１の発明にかかるサーバ装置は、移動体の種別毎に推定消費エネルギー量を算出する為の算出用データを記憶する記憶手段と、送信先の移動体の種別に対応する前記算出用データを当該移動体に送信する送信手段と、当該移動体で前記算出用データを基に算出された推定消費エネルギー量と実際に消費した実消費エネルギー量に基づいて設定された補正値、及び当該移動体の種別関連情報を受信する受信手段と、前記補正値及び前記種別関連情報に基づいて、前記算出用データを更新する更新手段と、を備えることを特徴とする。
【手続補正３】
【補正対象書類名】明細書
【補正対象項目名】０００６
【補正方法】変更
【補正の内容】
【０００６】
また、請求項４の発明にかかる端末装置は、移動体の推定消費エネルギー量を推定する推定手段と、前記移動体が実際に消費した実消費エネルギー量と、前記推定消費エネルギー量に基づく補正値を算出する算出手段と、前記補正値と、前記移動体の種別をサーバ装置に送信する送信手段と、を備え、前記推定手段は、複数の前記移動体から送信された補正値に基づいて前記サーバ装置が算出した前記移動体の種別に対応する補正値を含む算出用データを取得し、当該算出用データを用いて前記推定消費エネルギー量を推定することを特徴とする。
【手続補正４】
【補正対象書類名】明細書
【補正対象項目名】０００７
【補正方法】変更
【補正の内容】
【０００７】
また、請求項９の発明にかかる推定消費エネルギー算出システムは、移動体に搭載された端末装置と、当該端末装置と通信可能なサーバ装置とからなる推定消費エネルギー算出システムであって、前記サーバ装置は、前記移動体の種別毎に推定消費エネルギー量を算出する為の算出用データを記憶する記憶手段と、送信先の移動体の種別に対応する前記算出用データを当該移動体に送信する送信手段と、当該移動体で前記算出用データを基に算出された推定消費エネルギー量と実際に消費した実消費エネルギー量に基づいて設定された補正値、及び当該移動体の種別関連情報を受信する受信手段と、前記補正値及び前記種別関連情報に基づいて、前記算出用データを更新する更新手段と、を備え、前記端末装置は、前記移動体の推定消費エネルギー量を推定する推定手段と、前記移動体が実際に消費した実消費エネルギー量と、前記推定消費エネルギー量に基づく補正値を算出する算出手段と、前記補正値と、前記移動体の種別をサーバ装置に送信する送信手段と、を備え、前記推定手段は、複数の前記移動体から送信された補正値に基づいて前記サーバ装置が算出した前記移動体の種別に対応する補正値を含む算出用データを取得し、当該算出用データを用いて前記推定消費エネルギー量を算出することを特徴とする。
【手続補正５】
【補正対象書類名】明細書
【補正対象項目名】０００８
【補正方法】変更
【補正の内容】
【０００８】
また、請求項１０の発明にかかる推定消費エネルギー算出方法は、移動体に搭載された端末装置と通信可能なサーバ装置が実行する推定消費エネルギー算出方法であって、前記サーバ装置は、前記移動体の種別毎に推定消費エネルギー量を算出する為の算出用データを記憶する記憶工程と、送信先の移動体の種別に対応する前記算出用データを当該移動体に送信する送信工程と、当該移動体で前記算出用データを基に算出された推定消費エネルギー量と実際に消費した実消費エネルギー量に基づいて設定された補正値、及び当該移動体の種別関連情報を受信する受信工程と、前記補正値及び前記種別関連情報に基づいて、前記算出用データを更新する更新工程と、を含むことを特徴とする。